(57)【要約】【課題】数多くのデーター送受信するコインタイプＩＣタグにおいて軽量のため移動、搬送における位置精度が悪い。また重量を増す為に高比重樹脂等を用いるため高価であり、機械的強度不足等の問題があった。【解決手段】本発明は、安価で必要な性能を得る為に電磁波吸収を極力小さくするため重りとして使用する金属板にスリットを入れる、又は数分割し接触しないように配置する事によって電磁波吸収をより小さくし、なお且つ、十分な重量をもち移動位置精度が良く、データー送受信が正確に行える。更に樹脂ケースの材料選択の範囲が広くなり多種多様な識別標示が容易になる等の利点を持ったコインタイプＩＣタグを提供する。【選択図】図２
2008210095.tif 000002
【特許請求の範囲】
【請求項１】
樹脂フイルム材に情報通信用および情報記録用電子回路と相互通信用のアンテナコイルを有するユニット（以降ユニットと言う）を形成し、樹脂成形したケースにユニットと金属板重りを装着、封止したコインタイプＩＣタグにおいて、金属板重りの中心から外周に向けて１本以上のスリットが入っていることを特徴とするコインタイプＩＣタグ。
【請求項２】
前記内蔵のスリットが入った金属板重りは、鉄、ニッケル、ステンレス、黄銅、クロム、亜鉛を用いたことを特徴とする請求項１のコインタイプＩＣタグ。
【請求項３】
内蔵する金属板重りは、半円状または数分割され、円弧状で相互に接触しない配置でユニットに張付けられた金属板重りを有している事を特徴とするコインタイプＩＣタグ。
【請求項４】
内蔵する金属板重りは、ユニットが収納できるように凹形状をし、中心から外周に向けて１本以上のスリットが入っていることを特徴とするコインタイプＩＣタグ。
【請求項５】
前記ユニットは片面または両面に粘着性接着剤が塗布されている事を特徴とする請求項１から４のコインタイプＩＣタグ。
【請求項６】
金属製重りは、ユニットのＩＣ保護のため金属板の一部をＩＣ凸部分保護のため、ＩＣ保護スペースを有した金属板重りを装着したことを特徴とする請求項１から５のコインタイプＩＣタグ。
【請求項７】
樹脂ケースの内側およびユニットに粘着性接着剤が塗布され、樹脂ケースにユニット、金属板重りを装着し封止用の蓋を取り付けた後、加圧加熱により封止する事を特徴とする請求項１から６のコインタイプＩＣタグの製造方法。
【請求項８】
粘着性接着剤が塗布されたユニットのＩＣ実装面側に金属板重りを張付け接着剤で固定したことを特徴とする請求項１から６のコインタイプＩＣタグの製造方法。
【発明の詳細な説明】
【技術分野】
【０００１】
データー送受信するためＩＣを有する電子回路とアンテナコイルをもったコインタイプＩＣタグに関し、複数個のコインタイプＩＣタグに入っている数多くのデーターを送受信するためコインタイプＩＣタグを短時間で移動または搬送をする。正しいデーターの取得には、コインタイプＩＣタグの移動、搬送が正確に行はれなければならない。一般的にコインタイプＩＣタグの重量は、軽く、移動、搬送した場合位置精度が悪く送受信感度バラツキが発生する等の欠点を有している。本発明は、コインタイプＩＣタグの性能を損なうことなく、安価に重量を重くし送受信感度を低下しないように内蔵する重りにスリットを入れた、または分割した金属たとえば鉄、ニッケル、ステンレス、黄銅、クロム、亜鉛等を重りとして内蔵したコインタイプＩＣタグおよびその製造方法に関するものである。
【背景技術】
【０００２】
重さを増加させる方法として、高比重物質含有樹脂があるが比重を大きくする為に比重の大きな金属を高配合することによって高比重樹脂が実現するが、高比重樹脂は本来持っている樹脂の特性が変化し、非常にもろくなり耐衝撃性が低下し衝撃で破損する等の問題がある。またコインタイプＩＣタグは、使用目的からお互いにぶつかり合うことが多くそのために欠ける、割れる等の問題が発生しやすいという欠点を有していた。更にコインタイプＩＣタグを識別するため樹脂面への彫刻において強度問題が発生しやすい。
【０００３】
またコインタイプＩＣタグ種類の識別において、樹脂への印刷等があるが印刷において本体色は、含有するフィラーにより大きく色が左右され目的とする色彩を得る事が非常に難しいか、識別が不明瞭になる等の欠点を有していた。
【０００４】
例えば特許文献１では、コイン型ＩＣタグを重くする方法として金属では電磁波吸収の為送受信感度が低下するため高比重樹脂を重りとして必要な形状に成形し樹脂ケースに電子回路、アンテナと一緒に収納する方法が知られている。
【０００５】
上記高比重樹脂は、高比重にするため比重の大きい金属をフィラーとして配合する。しかし比重の大きい金属は、種類が少なく使用できる金属が限られていているため非常に高価であり、更に成形性は、高比重金属配合により著しく低下し成形品質に問題を起す危険性が含んでいる。本発明は上記問題解決のため金属板にスリット、又は分割する事により電磁波吸収を極めて小さくしコインタイプＩＣタグの特性を損なうことなく安価に提供できるものである。
【０００６】
【特許文献１】特開２００２−７９８９
【発明の開示】
【発明が解決しようとする課題】
【０００７】
高比重樹脂を重りにすると、成形性および価格等の問題が有り、また金属板重りでは電磁波吸収のため特性が満足しなく高品質、安価なコインタイプＩＣタグを提供出来ないと言う問題がある。
【０００８】
本発明の目的は高品質、安価なコインタイプＩＣタグを提供することにある。        
【課題を解決するための手段】
【０００９】
本発明は、高品質、安価なコインタイプＩＣタグ提供するため、比重の比較的大きく、電気抵抗率が大きな金属例えば鉄、ニッケル、ステンレス、黄銅、クロム、亜鉛等を重りとし、さらに電磁波吸収を出来るだけ小さくするために当該金属板に中心から外周に向け１本以上のスリットを設けユニットに張付ける、また金属板を分割し、分割した金属板を互いに接触する事なしにユニットに張付け固定する。さらに、より重量を増加させるためユニットの厚さ分外周壁をつけ、ユニットを凹部分に収納することにより重量を増す事ができる。１本以上のスリットまたは金属板を分割する事により、金属板の抵抗が大きくなり電磁誘導損が減少する。従って電磁波の吸収が減少しデーター送受信に十分な感度が得られことを特徴とする。特定の外装樹脂を選択する必要がないためコインタイプＩＣタグの外観を自由にレイアウトでき、多種多様なコインタイプＩＣタグを完成する事にある。
【００１０】
更に外装ケースに使用する樹脂は、目的に合わせ選択でき、さらに各種着色剤が使用できるためコインタイプＩＣタグ識別標示方法を自由に選択する事が出来ると言う特徴がある。
【発明の効果】
【００１１】
本発明のコインタイプＩＣタグは連続的にデーターの送受信ため正確な移動、搬送するために必要な重量が十分あり、且つ電磁波吸収も少なく十分な感度が得られる。また外装ケースは、一般的な樹脂が使用出来るため、コイン表面の彫刻、および着色が自由で安価なコインタイプＩＣタグが提供できた。
【発明を実施するための最良の形態】
【００１２】
コインタイプＩＣタグは、正確な移動、搬送に必要な重さを確保した金属板に幅１ｍｍ以上のスリットを入れ、当該金属板が張付けられているユニットを樹脂スケースに収納する。金属板に入れるスリットは金属板が分割されない程度で任意の方向に入れても良い。または必要な重量を確保した分割された金属板をユニットに張付け一体とし樹脂スケースに収納し封止する。スリット入り金属板重り、または分割重りを使用することにより電磁波吸収が少なく、コイン移動、搬送に必要な重量をもったコインタイプＩＣタグが実現した。
内蔵する中心から外周に向けたスリットの入った金属板、または分割された金属板重りの一部分は、ユニットに内蔵されているＩＣを保護する為に部分的にＩＣ保護スペースの切抜きを設ける。
【実施例１】
【００１３】
図１は、本発明のコインタイプＩＣタグの立体図であって、１はケース、２はふた、３は表示例を示す。
【００１４】
図２は、本発明のコインタイプＩＣタグ１の断面であって、１はケース、２はふた、４はユニット、５はＩＣ、６は金属板重り１または２、７はＩＣ保護スペース、８は接着層を示す。
【００１５】
図３は、本発明のコインタイプＩＣタグ２の断面図であって、１はケース、２はふた、５はＩＣ、８はユニット、９はＩＣ保護スペース、１０は金属板重り３、１１は接着層、１２は金属板重りの外周壁部を示す。
【００１６】
図４は本発明の金属板重り１の立体図であって、１３は金属板１、１４はスリット、１５はＩＣ保護スペースを示す。図５は分割された金属板重り２の立体図であって、１６は分割された金属板２、１７はＩＣ保護スペースを示す。
【００１７】
図６は、アンテナコイルを有する電子回路であって、１８はフイルム基板、１９はアンテナコイル、２０はＩＣを示す。
【００１８】
図７はユニットが重りの中に収納できる構造の金属板重り３であって、２１はスリット、２２は金属板３、２３はユニット収納スペースを示す。
【００１９】
ユニットのＩＣをＩＣ保護スペースに入るように張付け固定し、樹脂ケースに収納固定、更に封止用蓋を入れ封止する。識別標示として樹脂ケース成形金型に底面、と蓋または両側に彫刻をする。または封止後両面または片側に印刷等で識別標示をする。
【００２０】
樹脂ケースに収納する重りは１ｍｍ以上の中心から外周に向けてスリットが１本以上入った金属板例えば、鉄、ニッケル、ステンレス、黄銅、クロム、亜鉛等の重りにユニットのＩＣ凸部分が金属板重りに当たらないようにＩＣ保護スペースに合わせ貼付けをする。
【００２１】
また分割された金属板重りをお互いに接触しないように、またＩＣ部分が金属板と接触しないようにユニットに貼付け樹脂スケースに収納する。
【００２２】
コインタイプＩＣタグの密封は、中心から外周に向けたスリットありまたは分割された金属板の重りが張付けられたユニットを樹脂スケースに収納し、接着剤、熱かしめ、はめあい、超音波溶着等で封止後、識別標示等を実施する。
【産業上の利用可能性】
【００２３】
本発明のコインタイプＩＣタグは、遊戯用、駐車場等の利用に際しデーター送受信に必要な感度を有し更にコインを正確に移動、搬送するために必要な重さを備えている。必要な重さ、送受信感度を得る為にスリット入り又は分割した金属板を使用することにより極めて安価に作ることが出来コインタイプＩＣタグの普及に寄与する。
【図面の簡単な説明】
【００２４】
【図１】本発明のコインタイプＩＣタグの立体図。
【図２】本発明のコインタイプＩＣタグ１の断面図。
【図３】本発明のコインタイプＩＣタグ２の断面図。
【図４】金属板重り１の立体図。
【図５】金属板重り２の立体図。
【図６】ユニット立体図。
【図７】金属板重り３の立体図。
【符号の説明】
【００２５】
１                        ケース
２                        ふた
３                        標示例
４                        ユニット
５、２０                  ＩＣ
６                        金属板重り１または２
７、９、１５、１７，２４  ＩＣ保護スペース
８、１１                  接着層
１０                      金属板重り３
１２                      金属板重り３の外周壁部
１３                      金属板１  
１４、２１                スリット
１６                      金属板２
１８                      フイルム基板
１９                      アンテナコイル
２２                      金属板３
２３                      ユニット収納スペース
【図１】
2008210095.tif 000003
【図２】
2008210095.tif 000004
【図３】
2008210095.tif 000005
【図４】
2008210095.tif 000006
【図５】
2008210095.tif 000007
【図６】
2008210095.tif 000008
【図７】
2008210095.tif 000009